(57)【要約】【課題】視認者の色覚の違いに応じて、視認者毎に適切な表示を表示部で行う。【課題を解決するための手段】画像形成装置１は、画像読取部５と、表示部４７３と、ユーザーからのログイン要求又は自動ログイン機能を有する携帯端末３００からのログイン要求を受け付けてログイン処理を行うログイン処理部１０１と、ログイン処理に成功したログインユーザーについて、ユーザーアカウント情報を格納する情報サーバー２０２又は携帯端末３００に登録された当該ログインユーザーの色覚情報を、情報サーバー２０２又は携帯端末３００から取得する色覚情報取得部１０２と、ログインユーザーの色覚情報に応じて、表示部４７３に表示される操作画面における操作ボタンの配色を変更する色補正部１０３とを備える。【選択図】図３
2014078076.tif 000002
【特許請求の範囲】
【請求項１】
画像を表示する表示部と、
ユーザーからのログイン要求、又は自動ログイン機能を有する当該ユーザーの携帯端末からのログイン要求を受け付けてログイン処理を行うログイン処理部と、
前記ログイン処理部によりログインが許可されたログインユーザーについての色覚情報を、各ユーザーの色覚情報を記憶する色覚情報記憶部、又は前記携帯端末から取得する色覚情報取得部と、
前記色覚情報取得部によって取得された前記ログインユーザーの色覚情報に応じて、前記表示部による表示対象となる画像の表示態様を変更する表示態様変更部と、
前記表示態様変更部によって変更された表示態様で、前記画像を前記表示部に表示を行わせる制御部と
を備えた画像表示装置。
【請求項２】
前記表示態様変更部による表示態様の変更を行うか否かの変更指示を前記ログインユーザーから受け付ける変更指示受付部を更に備え、
前記表示態様変更部は、前記変更指示受付部に前記変更指示が受け付けられた場合に、前記色覚情報を用いた前記表示態様の変更を行う請求項１に記載の画像表示装置。
【請求項３】
前記表示部の表示画面の色を調整する色調整指示を前記ログインユーザーから受け付ける色調整指示受付部と、
前記記憶されている前記ログインユーザーの色覚情報を、前記色調整指示受付部に受け付けられた色調整指示が示す色調整情報を用いて更新する色覚情報更新部とを更に備え、
前記表示態様変更部は、前記更新された色覚情報を用いて、前記表示態様の変更を行う請求項１又は請求項２に記載の画像表示装置。
【請求項４】
前記表示態様変更部は、前記色覚情報に応じて前記表示画面の配色を変更することにより前記表示態様の変更を行う請求項１乃至請求項３のいずれかに記載の画像表示装置。
【請求項５】
請求項１乃至請求項３のいずれかに記載の画像表示装置と、
原稿を読み取って画像データを生成する画像読取部とを備え、
前記制御部は、前記表示態様変更部によって変更された配色で、前記画像読取部によって生成された画像データのプレビュー画像を前記表示部に表示させる画像読取装置。
【請求項６】
前記表示態様変更部は、前記ログインユーザーの色覚情報を用いて、前記画像読取部によって生成された画像データの配色を変更する請求項５に記載の画像読取装置。
【請求項７】
前記ログインユーザーから、他のユーザーを指定する指示を受け付ける他ユーザー指定受付部と、
前記他ユーザー指定受付部によって受け付けられた他のユーザーの色覚情報を、前記色覚情報記憶部から取得する他ユーザー情報取得部とを更に備え、
前記表示態様変更部は、前記他ユーザー情報取得部によって前記他のユーザーの色覚情報が取得された場合には、前記ログインユーザーの色覚情報によらず、当該他のユーザーの色覚情報を用いて、前記画像読取部によって生成された画像データの配色を変更する請求項５又は請求項６に記載の画像読取装置。
【請求項８】
前記色覚情報記憶部には、前記色覚情報として、色覚特性の類型毎に設定された前記表示部の表示オブジェクトの配色との対応関係を保持するマトリクスと、色覚特性の類型毎に設定された変換式とが記憶されており、
前記表示形態変更部は、前記表示オブジェクトについては前記マトリクスを用いてその配色を決定し、前記プレビュー画像については前記変換式を用いて色変換を行う請求項５乃至請求項７のいずれかに記載の画像読取装置。
【請求項９】
前記請求項５乃至請求項８のいずれかに記載の画像読取装置と、
前記画像読取部により生成された画像データを用いて記録媒体に画像形成を行う画像形成部とを備え、
前記表示態様変更部は、前記色覚情報を用いて、前記画像読取部によって生成された画像データの配色を変更し、
前記制御部は、前記表示態様変更部によって配色が変更された前記画像データを用いた画像形成を前記画像形成部に行わせる画像形成装置。
【発明の詳細な説明】
【技術分野】
【０００１】
本発明は、画像表示装置、画像読取装置及び画像形成装置に関し、特に、ユーザーの色覚特性に応じて表示部による表示を制御する技術に関する。
【背景技術】
【０００２】
技術革新に伴い、多くの表示装置において白黒などの単色彩による表現から多色彩による表現に変わってきている。電子機器のパイロットランプ、携帯電話やパソコン、ＡＴＭや自動券売機のディスプレイ等はカラーで表現されることが多い。画像形成装置に備えられる表示装置もカラー化が進み、カラー表現力によって利用者の利便性が高められている。
【０００３】
しかしながら、公共施設の案内表示等は、多くのカラー表示物が一般的な色覚者にとっての見え方を考えて作成されるため、非一般的色覚者にとっては、色の違いによって他との違いを識別する必要のある事項、例えば、ディスプレイに表示される地下鉄駅の路線図の色分けが見分けづらい、ディスプレイ画面に色を異ならせて表示される各画像を識別し難いという問題がある。
【０００４】
近年では、色覚上の個性に拘わらず全ての人が等しく機器や施設を利用できるようにするためのカラーユニバーサルデザイン（又はカラーバリアフリー）の必要性が提唱され、各視認者の色覚特性に応じた表示が求められている。例えば、下記特許文献１には、パネル表示によって色覚試験を実施し、その結果によって表示内容を異ならせる画像形成装置が示されている。
【先行技術文献】
【特許文献】
【０００５】
【特許文献１】特開２００５−２２５１３８号公報
【発明の概要】
【発明が解決しようとする課題】
【０００６】
上述したように、一般的色覚者のみを前提とした表示は、当該表示が見え難い非一般的色覚者に対する配慮に欠ける。一方、非一般的色覚者に適合した表現を一般的色覚者に対しても適用するのは、一般的色覚者に対する表現上の自由度が制限されるために好ましくない。このため、各視認者の色覚の違いに応じた適切な表現ができることが好ましく、また、当該表現は迅速に行えることが好ましい。上記特許文献１に示される技術は、各視認者の色覚の違いに応じた表示を行うために色覚試験を必要としており、表示に時間を要する。
【０００７】
本発明は、上記問題を解決するためになされたもので、視認者の色覚の違いに応じて、視認者毎に適切な表示を迅速に表示部に行わせることで、色覚上の個性の違いに拘わらず全ての人が等しく機器や施設を利用できるようにすることを目的とする。
【課題を解決するための手段】
【０００８】
請求項１に記載の発明は、画像を表示する表示部と、
ユーザーからのログイン要求、又は自動ログイン機能を有する当該ユーザーの携帯端末からのログイン要求を受け付けてログイン処理を行うログイン処理部と、
前記ログイン処理部によりログインが許可されたログインユーザーについての色覚情報を、各ユーザーの色覚情報を記憶する色覚情報記憶部、又は前記携帯端末から取得する色覚情報取得部と、
前記色覚情報取得部によって取得された前記ログインユーザーの色覚情報に応じて、前記表示部による表示対象となる画像の表示態様を変更する表示態様変更部と、
前記表示態様変更部によって変更された表示態様で、前記画像を前記表示部に表示を行わせる制御部と
を備えた画像表示装置である。
【０００９】
この発明では、ログインユーザーの色覚情報が色覚情報取得部により取得され、表示態様変更部が、当該色覚情報に応じて、表示部による表示対象となる画像データの表示態様を変更し、当該変更された表示態様で、制御部が表示部に上記画像データを表示させる。これにより、本発明によれば、表示部による表示内容が、当該ログインユーザーの色覚情報に応じて変更されるので、視認者としての各ユーザーの色覚の違いに対応して、ユーザー毎にとって視認性に優れた適切な表示を迅速に行うことが可能になる。
【００１０】
また、請求項２に記載の発明は、請求項１に記載の画像表示装置であって、前記表示態様変更部による表示態様の変更を行うか否かの変更指示を前記ログインユーザーから受け付ける変更指示受付部を更に備え、
前記表示態様変更部は、前記変更指示受付部に前記変更指示が受け付けられた場合に、前記色覚情報を用いた前記表示態様の変更を行うものである。
【００１１】
この発明では、ログインユーザーは、その意思に応じて、表示態様変更部による上記表示態様を行か否かを選択可能となる。
【００１２】
また、請求項３に記載の発明は、請求項１又は請求項２に記載の画像表示装置であって、前記表示部の表示画面の色を調整する色調整指示を前記ログインユーザーから受け付ける色調整指示受付部と、
前記記憶されている前記ログインユーザーの色覚情報を、前記色調整指示受付部に受け付けられた色調整指示が示す色調整情報を用いて更新する色覚情報更新部とを更に備え、
前記表示態様変更部は、前記更新された色覚情報を用いて、前記表示態様の変更を行うものである。
【００１３】
この発明によれば、表示部による表示内容を、ログインユーザーが色調整可能であるため、より適切に各視認者の色覚の別に合わせた表示態様で表示することができる。さらには、その色調整した結果が、当該ログインユーザーの色覚情報に反映されることにより、ユーザーの色覚情報が随時調整可能になるため、ユーザーの色覚情報を登録する際におけるユーザーの色覚特性の特定に、高い精度を要求しなくても足りる。
【００１４】
また、請求項４に記載の発明は、請求項１乃至請求項３のいずれかに記載の画像表示装置であって、前記表示態様変更部は、前記色覚情報に応じて前記表示画面の配色を変更することにより前記表示態様の変更を行うものである。
【００１５】
この発明では、表示部による表示内容を、視認者としての各ユーザーの色覚の違いに応じて、ユーザー毎に適切な色表示を行うことが可能になる。
【００１６】
また、請求項５に記載の発明は、請求項１乃至請求項３のいずれかに記載の画像表示装置と、
原稿を読み取って画像データを生成する画像読取部とを備え、
前記制御部は、前記表示態様変更部によって変更された配色で、前記画像読取部によって生成された画像データのプレビュー画像を前記表示部に表示させる画像読取装置である。
【００１７】
この発明では、表示態様変更部が、前記ログインユーザーの色覚情報に応じて、前記プレビュー画像の配色を補正するので、表示部に表示されるスキャン時等のプレビュー画像についても、視認者としての各ユーザーの色覚の別に合わせて適切な色表現が可能である。
【００１８】
また、請求項６に記載の発明は、請求項５に記載の画像読取装置であって、前記表示態様変更部は、前記ログインユーザーの色覚情報を用いて、前記画像読取部によって生成された画像データの配色を変更するものである。
【００１９】
この発明によれば、画像読取部によって生成された画像データに対する表示態様変更部による色覚情報を用いた配色変更により、画像読取部によって生成された画像データの配色を、色覚情報に基づいて配色が変更されたプレビュー画像の色に整合するように、画像読取部によって生成された画像データの配色が変更されるためプレビュー画像で確認した通りに、当画像データを用いて行われる画像形成又はスキャンの結果についても、視認者としての各ユーザーの色覚の別に合わせた適切な色表現とすることが可能である。
【００２０】
また、請求項７に記載の発明は、請求項５又は請求項６に記載の画像読取装置であって、前記ログインユーザーから、他のユーザーを指定する指示を受け付ける他ユーザー指定受付部と、
前記他ユーザー指定受付部によって受け付けられた他のユーザーの色覚情報を、前記色覚情報記憶部から取得する他ユーザー情報取得部とを更に備え、
前記表示態様変更部は、前記他ユーザー情報取得部によって前記他のユーザーの色覚情報が取得された場合には、前記ログインユーザーの色覚情報によらず、当該他のユーザーの色覚情報を用いて、前記画像読取部によって生成された画像データの配色を変更するものである。
【００２１】
この発明によれば、他者のために、例えば印刷又はスキャンを行う場合に、ログインユーザーの意思に応じて、当該印刷又はスキャンに係る画像データの配色を、その他者の色覚に合わせて変更することが可能になる。
【００２２】
また、請求項８に記載の発明は、請求項５乃至請求項７のいずれかに記載の画像形成装置であって、前記色覚情報記憶部には、前記色覚情報として、色覚特性の類型毎に設定された前記表示部の表示オブジェクトの配色との対応関係を保持するマトリクスと、色覚特性の類型毎に設定された変換式とが記憶されており、
前記表示形態変更部は、前記表示オブジェクトについては前記マトリクスを用いてその配色を決定し、前記プレビュー画像については前記変換式を用いて色変換を行うものである。
【００２３】
この発明によれば、表示部に表示される例えば操作ボタン等、予め定められた色で表示される表示オブジェクトについては上記マトリクスを参照してその配色を決定し、一方、画像読取部による読取で生成した画像データによって表示すべき内容及び配色が逐次変更されるプレビュー画像については、上記変換式による色変換を行うことで、各表示コンテンツの特性に応じた適切な配色変更を行うことができる。
【００２４】
また、請求項９に記載の発明は、前記請求項５乃至請求項８のいずれかに記載の画像読取装置と、
前記画像読取部により生成された画像データを用いて記録媒体に画像形成を行う画像形成部とを備え、
前記表示態様変更部は、前記色覚情報を用いて、前記画像読取部によって生成された画像データの配色を変更し、
前記制御部は、前記表示態様変更部によって配色が変更された前記画像データを用いた画像形成を前記画像形成部に行わせる画像形成装置である。
【発明の効果】
【００２５】
本発明によれば、視認者の色覚の違いに応じて、視認者毎に適切な表示を迅速に表示部に行わせることができ、色覚上の個性の違いに拘わらず全ての人に等しく機器や施設を利用可能とすることが可能になる。
【図面の簡単な説明】
【００２６】
【図１】本発明の一実施形態に係る画像形成装置を含む画像形成システムの構成を示すブロック図である。
【図２】画像形成装置の構造を示す正面断面図である。
【図３】画像成形装置の主要内部構成を概略的に示す機能ブロック図である。
【図４】ユーザーの色覚特性に応じて操作画面の配色を変更する処理を示すフローチャートである。
【図５】ユーザーの色覚特性に応じてプレビュー画像の配色を変更する処理を示すフローチャートである。
【図６】ユーザーの色覚特性に応じてコピー／スキャンに用いる画像の配色を変更する処理を示すフローチャートである。
【発明を実施するための形態】
【００２７】
以下、本発明の一実施形態に係る画像表示装置、画像読取装置、及び画像形成装置について図面を参照して説明する。
【００２８】
図１は、本発明の一実施形態に係る画像形成装置を含む画像形成システムの構成を示すブロック図である。図１に示すシステムでは、複数の画像形成装置１がネットワーク２００に接続されており、認証サーバー２０１及び情報サーバー２０２がネットワーク２００に接続されている。
【００２９】
画像形成装置１は、例えば、コピー機能、プリンター機能、スキャナー機能及びファクシミリ機能等を兼ね備えた複合機（ＭＦＰ）である。
【００３０】
認証サーバー２０１は、正規ユーザーの登録情報（ユーザーＩＤやパスワード等）を管理し、その登録情報を用いて、画像形成装置１にログインを要求するユーザーの認証処理を行う。
【００３１】
情報サーバー２０２は、色覚情報記憶部としての記憶部を内蔵し、当該記憶部に、登録されている正規ユーザー(画像形成装置１にログインが許可されているユーザー)ごとに、ユーザーアカウント情報２０３を記憶している。ユーザーアカウント情報２０３は、各ユーザーのアカウント(ユーザーＩＤ)と、ユーザーが画像形成装置１において設定可能な１つ又は複数の設定項目の設定値とを含む。
【００３２】
ユーザーアカウント情報２０３には、上記設定項目として、ユーザーの色覚特性を示す情報（以下、色覚情報という）が含まれている。色覚情報は、ユーザーアカウント作成時に情報サーバー２０２に設定してもよいし、個人のプライバシー保護のためにユーザーが画像形成装置１又は情報サーバー２０２にログインして個々に設定できるようにしておき、設定後に情報サーバー２０２に保存されるようにしてもよい。色覚情報が情報サーバー２０２に保存された後は、ユーザーが画像形成装置１にログインしたときに、当該ユーザーについてのユーザーアカウント情報内の色覚情報を画像形成装置１が取得する。なお、情報サーバー２０２がユーザーアカウント情報２０３を管理することにより、ユーザーがネットワーク２００上のいずれの画像形成装置１にログインしても、各画像形成装置１に、各ユーザーについて同一の色覚情報を反映させることが可能となる。
【００３３】
上記色覚(色覚特性)は、例えば、日本眼科学会の類型や、ＮＰＯ法人カラーユニバーサルデザイン機構（ＣＵＤＯ）推奨の類型をメニュー化して選択させる方式により、画像形成装置１の製造者、メンテナンス者、又は管理者等により、ユーザー毎に設定され、色覚情報として、情報サーバー２０２に保存される。
【００３４】
さらには、色覚の調整手段として、前記いずれかの類型から選択されたタイプにおいて弁別が難しい典型的な配色（隣接する２色の組み合わせ）のパターンをいくつか表示させながら、Ｌ、Ｍ、Ｓ錐体の感度パラメータを微調整する方法で個人の色覚特性を特定する方式を採用してもよい。以上のように、典型的類型からの選択に加え、テストパターンによる微調整によって極めて簡便な手順で個人の色覚特性を特定する。
【００３５】
また、個人用の携帯端末３００に個人のアカウント及び色覚情報３０１を記憶させておき、ユーザーが、携帯端末３００を用いて画像形成装置１にログインする方法も採り得る。例えば、画像形成装置１にBluetooth（登録商標）のホットスポット（登録商標）機能を具備させることで、携帯端末３００を所持するユーザーが画像形成装置１に近づいた時点で、携帯端末３００が画像形成装置１に上記アカウント及び色覚情報３０１を送信することにより、画像形成装置１にログインすることも可能となる。携帯端末３００に個人の色覚情報３０１を登録しておき、ログインするたびにテンポラリーの情報として画像形成装置１が、携帯端末３００から個人の色覚情報３０１を取得する。この場合、個人の色覚情報は、個人情報として漏洩の危険性のある外部の情報サーバー２０２に保存しなくても足りる。
【００３６】
なお、携帯端末３００は、例えば、携帯電話、スマートフォン、タブレットＰＣ等の通信機器である。
【００３７】
次に、図２を参照して画像形成装置１について説明する。図２は、画像形成装置１の構造を示す正面断面図である。
【００３８】
画像形成装置１は、本体部２と、本体部２の左方に配設されたスタックトレイ３と、本体部２の上部に配設された画像読取部５と、画像読取部５の上方に配設された原稿給送部６とを有している。
【００３９】
また、画像形成装置１のフロント部には、操作部４７が設けられている。この操作部４７には、ユーザーが当該画像形成装置１で実行可能な各機能の実行指示を入力するためのスタートキー４７１と、印刷部数等の各機能の実行条件を入力するためのテンキー４７２と、各機能の実行条件を入力するための各設定画面等を表示し、これら各種入力用にタッチパネル機能を有する液晶ディスプレイ等からなる表示部４７３と、表示部４７３で設定された設定内容等をリセットするリセットキー４７４と、実行中の機能を停止させるためのストップキー４７５と、コピー機能、プリンター機能、スキャナー機能及びファクシミリ機能を切り換えるための機能切換キー４７７が備えられている。
【００４０】
表示部４７３は、タッチパネル機能に係る操作ボタンを含む操作画面を表示するほか、画像読取部５によって生成された画像データのプレビュー画像を表示する。
【００４１】
画像読取部５は、ＣＣＤ(Charge Coupled Device)センサ及び露光ランプ等からなるスキャナー部５１と、ガラス等の透明部材により構成された原稿台５２及び原稿読取スリット５３とを備える。
【００４２】
スキャナー部５１は、図略の駆動部によって移動可能に構成され、原稿台５２に載置された原稿を読み取るときは、原稿台５２に対向する位置で原稿面に沿って移動され、原稿画像を走査しつつ取得した画像データを後述する制御ユニット１０（図３）へ出力する。また、原稿給送部６により給送された原稿を読み取るときは、原稿読取スリット５３と対向する位置に移動され、原稿読取スリット５３を介して原稿給送部６による原稿の搬送動作と同期して原稿の画像を取得し、その画像データを制御ユニット１０へ出力する。
【００４３】
原稿給送部６は、原稿を載置するための原稿載置台６１と、画像読み取り済みの原稿を排出するための原稿排出部６２と、原稿載置台６１に載置された原稿を１枚ずつ繰り出して原稿読取スリット５３に対向する位置へ搬送し、原稿排出部６２へ排出するための給紙ローラ（図略）、搬送ローラ（図略）等からなる原稿搬送機構６３を備える。
【００４４】
原稿搬送機構６３は、更に原稿を表裏反転させて原稿読取スリット５３と対向する位置へ再搬送する用紙反転機構（図略）を備え、原稿読取スリット５３を介して原稿の両面の画像をスキャナー部５１から読取可能にしている。
【００４５】
また、原稿給送部６は、その前面側が上方に移動可能となるように本体部２に対して回動自在に設けられている。原稿給送部６の前面側を上方に移動させて原稿台５２上面を開放することにより、原稿台５２の上面に読み取り原稿、例えば見開き状態にされた書籍等をユーザーが載置できるようになっている。
【００４６】
本体部２は、複数の給紙カセット４６１と、給紙カセット４６１から記録紙を１枚ずつ繰り出して画像形成部４０へ搬送する給紙ローラ４６２と、給紙カセット４６１から搬送されてきた記録紙に画像を形成する画像形成部４０とを備える。
【００４７】
画像形成部４０は、感光体ドラム４３の表面から残留電荷を除電する除電部４２１と、除電後の感光体ドラム４３の表面を帯電させる帯電部４２２と、スキャナー部５１で取得された画像データに基づいてレーザ光を出力して感光体ドラム４３表面を露光し、当該感光体ドラム４３の表面に静電潜像を形成する露光部４２３と、上記静電潜像に基づいて感光体ドラム４３上に、シアン（Ｃ）、マゼンタ（Ｍ）、イエロー（Ｙ）及びブラック（Ｋ）の各色のトナー像を形成する現像部４４Ｋ，４４Ｙ，４４Ｍ，４４Ｃと、感光体ドラム４３に形成された各色のトナー画像が転写されて重ね合わせされる転写ドラム４９と、転写ドラム４９上のトナー像を用紙に転写させる転写部４１と、トナー像が転写された用紙を加熱してトナー像を用紙に定着させる定着部４５と、画像形成部４０内の用紙搬送路中に設けられ、記録紙をスタックトレイ３又は排出トレイ４８まで搬送する搬送ローラ４６３，４６４等を備える。
【００４８】
また、記録紙の両面に画像を形成する場合は、画像形成部４０で記録紙の一方の面に画像を形成した後、この記録紙を排出トレイ４８側の搬送ローラ４６３にニップされた状態とする。この状態で搬送ローラ４６３を反転させて記録紙をスイッチバックさせ、記録紙を用紙搬送路Ｌに送って画像形成部４０の上流域に再度搬送し、画像形成部４０により他方の面に画像を形成した後、記録紙をスタックトレイ３又は排出トレイ４８に排出する。
【００４９】
図３は、画像形成装置１の内部構成の概略を示すブロック図である。画像形成装置１は、装置各部の機能を制御する制御ユニット１０と、上記の画像読取部５と、画像読取部５によって読み取られた原稿画像のデータ等を一時的に記憶する画像メモリー１２０と、上記の画像形成部４０と、上記の操作部４７と、この操作部４７の一部でありＬＣＤ（Liquid Crystal Display）等からなる表示部４７３とを備える。
【００５０】
なお、操作部４７は、例えば、表示部４７３に表示される操作案内に従ったユーザーによるテンキー４７２の押下操作、又は表示部４７３に表示される操作ボタン（テンキー、キーボード等）をタッチパネル機能によってタッチ操作することにより、各設定画面における各種入力操作が可能に構成されている。
【００５１】
また、画像形成装置１は、ファクシミリ通信部１４０と、携帯端末通信部１５０と、記憶部１７０と、データ送受信部１８０と、画像処理部１９０と、を備える。
【００５２】
ファクシミリ通信部１４０は、ファクシミリ通信に必要な各種機能を実行し、公衆回線８１を通じて外部のファクシミリ装置８０から画像データを送受信する。
【００５３】
携帯端末通信部１５０は、Bluetooth（登録商標）等の通信デバイスを有し、ホットスポット（登録商標）を提供する。携帯端末３００は当該ホットスポット（登録商標）を通じて画像形成装置１にアクセスすることができる。また、画像形成装置１は、携帯端末３００から色覚情報３０１を読み出すことができる。
【００５４】
記憶部１７０は、例えばＨＤＤ等の磁気ディスクから構成され、画像読取部５による読取で得られた画像テータ等が保存される。
【００５５】
データ送受信部１８０は、イントラネット又はＬＡＮ（Local Area Network）を介して、ネットワーク接続されているパーソナルコンピュータ等から、画像形成部４０による記録の対象となるデータ等を受信するものである。
【００５６】
画像処理部１９０は、画像読取部５が読み取った画像のデータについて、編集／加工（符号／復号処理、拡大／縮小処理、圧縮／伸長処理）処理等を行う。
【００５７】
制御ユニット１０は、ＣＰＵと、画像形成動作を制御する制御プログラム等の装置各部の動作プログラムを記憶したＲＯＭ、画像データ等を一時的に格納すると共に作業領域として機能するＲＡＭ、各種制御用パラメータの設定値を記憶する不揮発性メモリー等のメモリーを備え、ＲＯＭに記憶された動作プログラムが当該ＣＰＵにより実行されることにより、装置各部の動作を司る。
【００５８】
また、制御ユニット１０は、ログイン処理部１０１と、色覚情報取得部１０２と、色補正部１０３と、他ユーザー情報取得部１０４と、色調整指示受付部１０５と、ユーザー情報更新部１０６と、制御部１００とを備える。
【００５９】
例えば、制御ユニット１０は、記憶部１７０に記憶されている色変換プログラムに従って動作することで、上記ログイン処理部１０１と、色覚情報取得部１０２と、色補正部１０３と、他ユーザー情報取得部１０４と、色調整指示受付部１０５と、ユーザー情報更新部１０６と、制御部１００(制御部１００については、後述する色覚特性に応じた配色変更処理に関する機能部分)として機能する。
【００６０】
また、制御ユニット１０は、ハード的な回路により、上記ログイン処理部１０１と、色覚情報取得部１０２と、色補正部１０３と、他ユーザー情報取得部１０４と、色調整指示受付部１０５と、ユーザー情報更新部１０６と、制御部１００(上記と同様に、後述する色覚特性に応じた配色変更処理に関する機能部分)とを備えるものとしてもよい。
【００６１】
制御部１００は、画像形成装置１に備えられる各機構を制御し、画像形成装置１の全体的な動作制御を司る。また、制御部１００は、後述する色覚特性に応じた配色変更処理時に必要となる各動作の制御を行う。
【００６２】
ログイン処理部１０１は、操作部４７にユーザーから入力されたユーザーＩＤ及びパスワードを組み合わせてなるログイン情報を受け付けてログイン処理を行う。
【００６３】
ログイン処理部１０１は、操作部４７からユーザーにより入力されたログイン情報を受け付けると、受け付けたログイン情報を認証サーバー２０１に送信する。認証サーバー２０１は、当該送信されてきたログイン情報を用いてユーザー認証を行い、ユーザー認証が成立すると、情報サーバー２０２に対して認証成立を示す認証成立情報を送信する。情報サーバー２０２は、認証サーバー２０１から当該認証成立情報が送信されてきた場合、当該ログインに成功したユーザーであるログインユーザーのユーザーアカウント情報を画像形成装置１に送信する。画像形成装置１では、ログイン処理部１０１が、当該ユーザーアカウント情報を、データ送受信部１８０を介して、情報サーバー２０２から受信する。ログイン処理とは、ログイン処理部１０１による上記ログイン情報の受付からユーザーアカウント情報の受信に到るまでに必要な処理をいう。
【００６４】
また、上述したように、画像形成装置１がBluetooth（登録商標）のホットスポット（登録商標）を提供する場合には、画像形成装置１は、携帯端末３００から、上記ログイン情報等を、携帯端末通信部１５０を介して受信する。なお、携帯端末３００によりログインが行われた場合、この携帯端末３００からは、当該ログイン情報及び携帯端末３００の所有者であるユーザーの色覚情報及びアカウントも、画像形成装置１に対して送信される。
【００６５】
色覚情報取得部１０２は、情報サーバー２０２又は携帯端末３００からログインユーザーの色覚情報を取得する。
【００６６】
色補正部(表示態様変更部)１０３は、ユーザーの色覚情報に応じて、表示部４７３により表示対象とされる画像の配色を変更する処理を行う。例えば、色補正部１０３は、ユーザーアカウント情報に含まれる色覚情報に対応させて、マトリクス１０３１と、変換式１０３２とを記憶している。
【００６７】
マトリクス１０３１は、表示部４７３に表示する操作ボタン等のオブジェクトの配色を、色覚情報が示す色覚特性毎に決定するために用いられる。マトリクス１０３１は、表示部４７３の表示画面に表示される各操作ボタン(表示オブジェクト)の配色が、上記色覚特性の類型(色覚情報)ごとに定義されたものである。なお、マトリクス１０３１は、一般色覚者のための標準配色の他に汎用的に適用できるユニバーサル対応配色を表現したものとしてもよい。色補正部１０３は、表示部４７３に表示する操作ボタン等の表示オブジェクト、すなわち、予め定められた配色によって表示するオブジェクトについては上記マトリクス１０３１を用いてその配色を決定する。
【００６８】
変換式１０３２は、一般的色覚者用の標準配色を自動変換して配色を決定するために用いられる色変換式であり、色覚特性の類型毎に設定され、色覚情報が示す色覚特性毎に配色を決定する。変換式１０３２は、例えば、画像読取部５による読取で生成した画像データによって表示すべき内容、及び配色が逐次変更されるプレビュー画像についての配色変更に用いられる。
【００６９】
なお、標準配色の自動変換は既知の変換式、例えば、特開２０１０−１８３４８７号公報、特開２０１１−１８２００６号公報等に開示された変換式を計数として用いて行うことができる。
【００７０】
このように、色補正部１０３は、画像読取部５が読み取った画像データを表示部４７３にプレビュー表示する際にも、ログインユーザーの色覚情報に応じた変換式１０３２を用いて、画像読取部５が読み取った画像データを、ログインユーザーにとって認識しやすい色域に変換した色調に変換することにより、プレビュー画像の色を補正する。すなわち、ログインユーザーの色覚情報は、コピーやスキャン時のプレビュー表示にも適用される。なお、上記ユーザーアカウント情報に色覚情報が登録されていない、又は通常色覚として登録されている場合にはプレビュー画像の色補正は行われない。
【００７１】
また、色補正部１０３は、例えば、表示部４７３の表示画面中に、上記表示オブジェクト及びプレビュー画像が混在する場合は、ログインユーザーの色覚情報に応じて、上記表示オブジェクトについてはマトリクス１０３１を用いてその配色を変更し、プレビュー画像については上記変換式１０３２を用いた色変換を行い、制御部１００は、表示部４７３に、１つの表示画面に、このように別個に色変換された各画像をそれぞれ混在させて表示させるようにしてもよい。従って、色補正部１０３は、表示オブジェクト及びプレビュー画像を表示する表示画面の形成においては、予め定められた配色で表示される規定の表示オブジェクトと、画像読取部５によって都度読み取られる画像データとを、上述のようにそれぞれを異なる方法で配色変更した後に、当該配色変更後の各画像を合成してプレビュー画像を生成することが望ましい。これにより、ログインユーザーにとっての視認に適切な色表現からなる画面表示を表示することができる。
【００７２】
また、色補正部１０３は、印刷又はスキャンに係る画像データの色がプレビュー画像の色に整合するように、印刷又はスキャンに係る画像データの色を補正する。プレビュー表示に用いた色域変換(配色変更)と、実際の印刷又はスキャン時における色域変換とを整合させることによって、ログインユーザーの色覚にとって視認に適切な色域での印刷物又はスキャン画像を得ることができる。具体的には、画像読取部５が読み取った画像データをプレビュー表示する際に、ＲＧＢ空間からＲＧＢ空間への変換によって色域変換する変換式１０３２を用いる場合は、画像読取部５が読み取った画像データ同様のＲＧＢ−ＲＧＢ変換を実施して、印刷用又はスキャン画像用の画像データを得る。ユーザーアカウント情報に色覚情報が登録されていない、又は通常色覚として登録されている場合は変換が行われないことは言うまでもない。
【００７３】
印刷又はスキャンは、ログインユーザーが自身の利用のために行う場合もあれば、他者のために印刷又はスキャンする場合もある。従って、印刷又はスキャン時には、ログインユーザーの色覚情報に適した変換後に印刷又はスキャンするか、又はオリジナルのままで印刷又はスキャンするかを選択可能とするのが望ましい。画像形成装置１はこの選択ができるようになっている。なお、登録された色覚情報が通常色覚の場合、又は未登録の場合はこの選択ステップを省略することも可能である。
【００７４】
他ユーザー情報取得部１０４は、ログインユーザーによる操作部４７の操作で指定された他のユーザーについての色覚情報を、情報サーバー２０２から取得する。例えば、ログインユーザーにより他のユーザー用に色変換を行う旨の指示が操作部４７から入力されると、他ユーザー情報取得部１０４は、画像形成装置１にログイン可能なユーザー(ユーザーＩＤ)一覧及び各ユーザーの色覚情報を情報サーバー２０２から取得する。制御部１００は、当該ユーザー一覧及び各ユーザーの色覚情報を表示部４７３に表示させる。ログインユーザーによる操作部４７の操作により、当該表示されているユーザー一覧から、他のユーザーが指定されると、他ユーザー情報取得部１０４は、指定されたユーザーに対応付けて記憶されている色覚情報を特定する。色補正部１０３は、このように他ユーザー情報取得部１０４によって他のユーザーの色覚情報が取得されたとき、ログインユーザーの色覚情報によらず、当該他のユーザーの色覚情報を用いて、印刷又はスキャンに係る画像データの配色を変更する。
【００７５】
色調整指示受付部１０５は、ログインユーザーによる操作部(色調整指示受付部)４７の操作に従って、表示部４７３に表示された操作画面の表示オブジェクト、又はプレビュー画像の色を調整する色調整指示を受け付ける。例えば、色調整指示受付部１０５は、表示部４７３にプレビュー画像の色調整指示を受け付けるための操作ボタンを表示させ、操作者による操作ボタンの操作に基づいてタッチパネル機能によりプレビュー画像の色調整指示を受け付ける。色補正部１０３は、色調整指示受付部１０５に受け付けられた色調整指示に従って、上記表示オブジェクト又はプレビュー画像を更に配色変更する。
【００７６】
ユーザー情報更新部１０６は、色調整指示受付部１０５が行った色調整の情報を、ログインユーザーの色覚情報の補助情報として用いて、情報サーバー２０２又は携帯端末３００に記憶されているログインユーザーの色覚情報の内容を更新する。また、色補正部１０３は、表示オブジェクト又はプレビュー画像の配色変更に、当該更新された色覚情報を用いる。
【００７７】
これにより、ログインユーザーが実際の見え方に応じて更に表示部４７３の表示内容の色調整が可能となるとともに、この色調整の結果を、当該ログインユーザーの色覚情報にフィードバックさせることも可能になる。なお、当該フィードバックを行うか否かは、ログインユーザーによる操作部４７の操作で入力するフィードバック実行指示の有無に応じて、選択可能とすることが望ましい。このように、ログインユーザーによる色調整の結果が、当該ログインユーザーの色覚情報に反映されることにより、ユーザーの色覚情報が随時調整可能になるため、ユーザーの色覚情報を登録する際におけるユーザーの色覚特性の特定に、高い精度を要求しなくても足りる。
【００７８】
なお、本発明の実施形態に係る画像表示装置は、上記表示部４７３と、ログイン処理部１０１と、色覚情報取得部１０２と、色補正部１０３と、他ユーザー情報取得部１０４と、色調整指示受付部１０５と、ユーザー情報更新部１０６と、制御部１００とを備えてなる。なお、以下に示す処理において必要となる限りにおいて、本発明の実施形態に係る画像表示装置は、操作部４７を更に備える。
【００７９】
また、本発明の実施形態に係る画像読取装置は、本発明の実施形態に係る画像表示装置に加え、画像読取部５を更に備えてなる。
【００８０】
次に、画像形成装置１におけるユーザーの色覚特性に応じた配色変更処理を説明する。
【００８１】
最初に、ユーザーの色覚特性に応じて操作画面の配色を変更する処理を説明する。図４は、ユーザーの色覚特性に応じて操作画面の配色を変更する処理を示すフローチャートである。
【００８２】
画像形成装置１の主電源がオンとされると、制御部１００は、表示部４７３にログイン画面（図略）を表示させる。
【００８３】
当該ログイン画面の表示時に、ユーザーによる操作部４７の操作でユーザーＩＤ及びパスワードが入力されると、ログイン処理部１０１は、入力されたユーザーＩＤ及びパスワードを認証サーバー２０１に送信し、ユーザー認証の結果を認証サーバー２０１から受信する上記ログイン処理を実行する(Ｓ１)。
【００８４】
例えば、ログイン処理部１０１は、ユーザーＩＤ及びパスワードの入力時、当該ユーザーＩＤ及びパスワードを認証サーバー２０１に送信する。認証サーバー２０１は、受信したユーザーＩＤ及びパスワードを用いてユーザー認証を行う。認証サーバー２０１は、当該ユーザー認証が成立すると、情報サーバー２０２に対して認証成立を示す認証成立情報を送信する。情報サーバー２０２は、当該認証成立情報を受信すると、当該認証対象とされているユーザーＩＤに対応するユーザーアカウント情報２０３を画像形成装置１に送信する。画像形成装置１のログイン処理部１０１は、データ送受信部１８０を介して、認証サーバー２０１から認証成立情報を受信し、情報サーバー２０２からは、上記ユーザーアカウント情報２０３を受信する。なお、認証サーバー２０１において、ユーザー認証が不成立とされた場合は、ログイン処理部１０１は、認証サーバー２０１からユーザー認証が不成立であることを示す認証不成立情報を受信する。
【００８５】
また、画像形成装置１がBluetooth（登録商標）のホットスポット（登録商標）を提供する場合は、自動ログイン機能を有する携帯端末３００を携帯するユーザーが画像形成装置１の通信範囲内に進入した時点で、画像形成装置１の携帯端末通信部１５０は、携帯端末３００から自動ログイン要求を受信する。ログイン処理部１０１は、当該ログイン要求を受け付け、当該ログイン要求に含まれるユーザーＩＤ及びパスワードを認証サーバー２０１に送信し、上記と同様のログイン処理を行う。
【００８６】
当該ユーザーのログインが認証サーバー２０１により認められ、ログイン処理部１０１が、上記認証成立情報及びユーザーアカウント情報２０３を受信すると、色覚情報取得部１０２は、情報サーバー２０２から受信したユーザーアカウント情報２０３に含まれている、当該ログインユーザーの色覚情報を読み出す（Ｓ２）。すなわち、色覚情報取得部１０２は、情報サーバー２０２から、上記ユーザー認証が成立してログインが許可されたログインユーザーの色覚情報を取得する。
【００８７】
上記受信したユーザーアカウント情報２０３に色覚情報が含まれており、色覚情報取得部１０２が当該ログインユーザーの色覚情報を取得できた場合は（Ｓ３でＹＥＳ）、色補正部１０３は、当該取得されたログインユーザーの色覚情報に応じて、表示部４７３に表示される操作画面における表示オブジェクトとしての操作ボタンの画像データの配色を変更する(Ｓ４)。具体的には、色補正部１０３は、上記取得した色覚情報に対応するマトリクス１０３１を特定し、当該マトリクス１０３１を用いて、各操作ボタンの画像の配色を変換する。
【００８８】
制御部１００は、当該配色変更後の画像データを用いて、表示部４７３に、上記操作画面を表示させる（Ｓ５）。
【００８９】
また、上記受信したユーザーアカウント情報に色覚情報が含まれておらず、色覚情報取得部１０２が当該ログインユーザーの色覚情報を取得できない場合は（Ｓ３でＮＯ）、制御部１００が、色覚情報を新規に登録するか否かの指示の入力をユーザーに促す旨のメッセージを表示部４７３に表示させる。この後、ログインユーザーが色覚情報を新規登録する旨の指示を操作部４７の操作により入力した場合（Ｓ８でＹＥＳ）、制御部１００は、表示部４７３に、日本眼科学会の類型やＣＵＤＯ推奨の類型をメニュー化して選択させる画面を表示部４７３に表示させる。ユーザーによる操作部４７の操作で、上記表示されている類型の中から、当該ユーザー自身が属する色覚特性の色覚類型を選択する指示を受け付けると(Ｓ１０)、ユーザー情報更新部１０６は、ログインユーザーにより選択された当該選択された色覚特性の類型を、ユーザーＩＤと共に、情報サーバー２０２に送信する(Ｓ１１)。情報サーバー２０２は、当該色覚特性の類型及びユーザーＩＤを受信すると、当該ユーザーＩＤが示すユーザーアカウント情報２０３に、受信した当該色覚特性の類型を色覚情報として登録する。
【００９０】
このＳ１１の後は、Ｓ４以降の処理が行われる。この場合におけるＳ４では、色補正部１０３は、Ｓ１０においてログインユーザーにより選択された当該色覚特性の類型を色覚情報とし、当該色覚情報に応じて、表示部４７３に表示される操作画面における表示オブジェクトとしての操作ボタンの画像データの配色を変更する。
【００９１】
一方、ログインユーザーが色覚情報を新規登録する旨の指示を操作部４７の操作により入力しない場合（Ｓ８でＮＯ）、色覚情報取得部１０２は、ログインユーザーの色覚情報が未知のものとして、色補正部１０３は、ユニバーサル対応配色を示すマトリクス１０３１を、配色変更に用いるマトリクス１０３１として設定する(Ｓ９)。Ｓ９の後となるＳ４では、色補正部１０３は、Ｓ９で設定された当該マトリクス１０３１が示すユニバーサル対応配色に、表示オブジェクトとしての操作ボタンの画像データの配色を変更する。
【００９２】
このように、上記一連の処理によれば、ログインユーザーの色覚情報が情報サーバー２０２から取得され、表示部４７３に表示される操作画面における操作画面の操作ボタン等の表示オブジェクトの配色が、当該ログインユーザーの色覚情報に応じて変更される。これにより、本実施形態によれば、表示部４７３に表示される操作画面において、各視認者の色覚に合わせた適切な表現が可能になる。
【００９３】
上記Ｓ５による操作画面の表示後、ログインユーザーが、例えば、コピー動作実行指示又はスキャン実行指示を操作部４７の操作により入力すると、(Ｓ６でＹＥＳ)、制御部１００は、画像読取部５に原稿の読取動作を行わせる(Ｓ７)。なお、制御部１００は、上記コピー動作実行指示又はスキャン実行指示がユーザーから入力されるまで(Ｓ６でＮＯ)、表示部４７３に上記操作画面を表示させておく（Ｓ５）。
【００９４】
続いて、ユーザーの色覚特性に応じてプレビュー画像の配色を変更する処理を説明する。図５は、ユーザーの色覚特性に応じてプレビュー画像の配色を変更する処理を示すフローチャートである。
【００９５】
上記Ｓ７において画像読取部５が原稿を読み取って画像データを生成すると、色補正部１０３は、図４のＳ２で取得された、又はＳ１０で選択されたログインユーザーの色覚類型からなる色覚情報に対応する上記変換式１０３２を用いて、プレビュー画像の配色を変更する(Ｓ２１)。制御部１００は、表示部４７３に、当該配色変更後のプレビュー画像を表示させる（Ｓ２２）。なお、ログインユーザーの色覚特性が一般色覚である場合は(Ｓ３で色覚情報が取得できていない)、又は、ユニバーサル対応配色が設定されている場合には(Ｓ９)、色補正部１０３は、上記色覚情報に基づく配色変更 (Ｓ２１)を行わず、制御部１００は、画像読取部５が読み取った画像データをそのままの色で表示部４７３にプレビュー表示させる。
【００９６】
このように、色補正部１０３が、プレビュー画像についても色覚情報に応じた配色変更を行うことで、コピー又はスキャン保存前の対象となる画像を、ログインユーザーは、その色覚特性に応じて配色変更された画像により確認することが可能になる。
【００９７】
また、上記プレビュー画像の表示後、色調整指示受付部１０５は、表示部４７３に、プレビュー画像の色調整の指示をログインユーザーから受け付けるための操作画面を表示させる。ここで、ログインユーザーによる操作部４７の操作で、ログインユーザーが所望の色に、画像の色合いを調整する色調整指示が入力されると（Ｓ２３でＹＥＳ）、色補正部１０３は、当該色調整指示に従ってプレビュー画像の色を補正する(Ｓ２５)。制御部１００は、当該色調整後のプレビュー画像を表示部４７３に表示させる（Ｓ２６）。
【００９８】
さらに、ユーザー情報更新部１０６は、表示部４７３に、上記色調整指示による色調整の内容を、色調整情報として上記ユーザーアカウント情報２０３にフィードバックするか否かの指示の入力を促すメッセージを表示させる。このメッセージ表示時に、ログインユーザーによる操作部４７の操作で、色調整情報をフィードバックする旨の指示が入力されると（Ｓ２７でＹＥＳ）、ユーザー情報更新部１０６は、色調整情報を、当該ログインユーザーのユーザーＩＤと共に、情報サーバー２０２に対して、データ送受信部１８０を介して送信する(Ｓ２８)。情報サーバー２０２は、当該色調整情報及びユーザーＩを受信すると、当該ユーザーＩＤが示すユーザーアカウント情報２０３に含まれている色覚情報を、当該色調整情報を加味した内容に更新する。
【００９９】
そして、Ｓ２３において、ログインユーザーにより上記色調整指示が入力されない場合、すなわち、ログインユーザーがプレビュー画像の色調整を行わない場合（Ｓ２３でＮＯ)、上記Ｓ２８の後、及び、上記Ｓ２７で色調整情報を情報サーバー２０２に送信はない場合は(Ｓ２７でＮＯ)、制御部１００は、ユーザーから、コピー動作実行指示又はスキャン動作実行指示のいずれかの入力を待機する(Ｓ２４)。
【０１００】
このように、本実施形態によれば、表示部４７３にプレビュー画像を表示しているときに、ログインユーザーがプレビュー画像の色を調整することができ、さらにその調整した結果が当該ログインユーザーの色覚情報の補助情報として反映されるので、ログインユーザーの色覚特性に的確に合致した色表現からなるプレビュー画像を表示でき、ログインユーザーは、当該色表現からなる画像によりプレビュー画像を確認することが可能になる。
【０１０１】
また、上記プレビュー画像の配色変更処理においては、色補正部１０３は、表示部４７３に表示される操作画面の各種操作ボタン等の表示オブジェクトについてはマトリクス１０３１を参照してその配色を決定し、一方、プレビュー画像については変換色１０３２を用いて色変換を行い、制御部１００は、これら配色変更後の各画像を混在させた表示画面を表示部４７３に表示することが可能である。これにより、各表示コンテンツの特性に応じた適切な配色変更を行うことができ、ログインユーザーは、当該色表現の画像からなる表示画面を確認することが可能になる。
【０１０２】
さらに、ユーザーの色覚特性に応じてコピー／スキャンに用いる画像の配色を変更する処理を説明する。図６は、ユーザーの色覚特性に応じてコピー／スキャンに用いる画像の配色を変更する処理を示すフローチャートである。
【０１０３】
制御部１００は、図５のＳ２４において、コピー動作実行指示又はスキャン動作実行指示のいずれかの指示を受け付けると（Ｓ２４でＹＥＳ）、制御部１００が、表示部４７３に、当該ログインユーザーの色覚情報に応じた色変換を行った上でコピー動作に伴う画像形成を行うか、又はスキャンデータを保存するかの指示の入力を促すメッセージを表示部４７３に表示させる。
【０１０４】
ここで、ログインユーザーが、色覚情報に応じた色変換を行った上でコピー動作に伴う画像形成を行う指示、又は、スキャンデータを保存する指示のいずれも入力しなかった場合は（Ｓ３１でＮＯ）、色補正部１０３は、色覚情報に応じた配色変更を行わず、制御部１００は、画像読取部５により生成されたそのままの画像データを用いて、画像形成部４０にコピー動作を行わせ、又は、画像読取部５に原稿読取を行わせ、画像読取部５により生成されたそのままの画像データを記憶部１７０に保存する（Ｓ３２）。
【０１０５】
一方、ログインユーザーが、色覚情報に応じた色変換を行った上で、コピー動作に伴う画像形成を行う指示、又は、スキャンデータを保存する指示を入力した場合は（Ｓ３１でＹＥＳ）、制御部１００は、表示部４７３に、ログインユーザー自身用の色変換か、それとも他者用の色変換かを問い合わせる旨のメッセージを表示部４７３に表示させる。
【０１０６】
ここで、ユーザーによる操作部４７の操作で、ログインユーザー自身用の色変換であることを示す指示が入力された場合は（Ｓ３３でＹＥＳ）、制御部１００は、画像読取部５に原稿読取を行わせ(Ｓ３４)、色補正部１０３は、画像読取部５により生成された画像データに対して、ログインユーザーの色覚情報(Ｓ２で取得された色覚情報、又はＳ１０で選択された色覚類型からなる色覚情報)に応じた配色変更を行う(Ｓ３５)。制御部１００は、当該配色変更がされた画像データを用いて、コピー動作に伴う画像形成又はスキャンデータの保存を行う（Ｓ３６）。
【０１０７】
また、ユーザーによる操作部４７の操作で、他者用の色変換であることを示す指示が入力された場合は（Ｓ３３でＮＯ）、他ユーザー情報取得部１０４は、情報サーバー２０２にアクセスして、情報サーバー２０２から画像形成装置１にログイン可能なユーザー一覧及び各ユーザーに対応付けられた色覚情報を取得する(Ｓ３７)。制御部１００は、表示部４７３に、当該ユーザー一覧を表示させる。この表示時、ログインユーザーによる操作部４７の操作で、表示されているユーザー一覧の中から、所望の他ユーザーを選択指示が入力されると（Ｓ３８）、他ユーザー情報取得部１０４は、上記取得した色覚情報の中から、当該選択された他のユーザーに対応付けられた色覚情報を抽出する(Ｓ３９)。
【０１０８】
続いて、制御部１００は、画像読取部５に原稿読取を行わせ(Ｓ３４)、色補正部１０３は、画像読取部５により生成された画像データに対して、上記他のユーザーの色覚情報を用いて配色変更を行う(Ｓ３５)。制御部１００は、当該配色変更がされた画像データを用いて、コピー動作に伴う画像形成又はスキャンデータの保存を行う（Ｓ３６）。
【０１０９】
このように、本実施形態によれば、補正されたプレビュー画像の色に整合するように、コピー動作に伴う画像形成、又はスキャン保存の対象となる画像データについて、配色変更が行われるため、コピー時又はスキャン時にも、各ユーザーの色覚が示す個性に合わせた適切な色表現からなる画像形成又は画像データ保存を行うことが可能である。
【０１１０】
また、本実施形態によれば、他のユーザー用にコピー又はスキャンする場合に、画像形成装置１にログイン可能なユーザー一覧の中から所望の他のユーザーを選択することで、その他のユーザーの色覚情報に応じて、コピー動作に伴う画像形成、又はスキャン保存の対象となる画像データについて、配色変更が行われるため、その他のユーザーの色覚特性に合致した画像形成又はスキャンデータの保存が可能である。
【０１１１】
なお、本発明は上記実施の形態の構成に限られず種々の変形が可能である。例えば、上記実施形態では、色補正部１０３は、操作画面での表示オブジェクトについて、色覚情報に応じて配色変更を行うとしているが、この処理に関する限りでは、これに代えて、予め定められた、モノクロ表現からなる画像であって、他の画像とは互いに異なる形状又は模様とされた画像への変換を、色覚情報に応じて行うものとしてもよい。
【０１１２】
また、上記実施形態では、色覚情報取得部１０２が、ユーザーアカウント情報からログインユーザーの色覚情報を読み出せた場合には、当該色覚情報に応じた配色変更を行うものとしているが、操作部４７(変更指示受付部)に、ログインユーザーによる操作で、色覚情報に応じた配色変更を行う旨の指示が入力された場合に、色覚情報に応じた配色変更を行うものとしてもよい。
【０１１３】
また、上記実施形態では、ログインユーザーからの指示に従って、他のユーザーの色覚情報に応じた配色変更を、コピー又はスキャン時の原稿画像読取で得られた画像データに対して行うものとしているが、上述した操作画面の表示オブジェクトや、プレビュー画像について、ログインユーザーからの指示に従って、他のユーザーの色覚情報に応じた配色変更を行うものとしてもよい。
【０１１４】
また、更には、上記実施形態では、認証サーバー２０１がユーザー認証を行い、情報サーバー２０２がユーザーアカウント情報を有して画像形成装置１に送信するものとしているが、画像形成装置１が、認証サーバー２０１と同様のユーザー認証処理を行う認証部と、情報サーバー２０２と同様に、色覚情報を含むユーザーアカウント情報を記憶及び管理する色覚情報記憶部とを制御ユニット１０に備え、画像形成装置１において、ユーザー認証及び色覚情報の取得を行うものとしてもよい。これらが上記色変換プログラムに従った制御ユーザーユニット１０の動作又はハード回路のいずれにより構成されても構わないことは上記と同様である。
【０１１５】
また、上記実施形態では、本発明に係る画像形成装置として、複合機を用いて説明しているが、これは一例に過ぎず、複合機以外のコピー機、スキャナー装置、ファクシミリ装置等の他の画像形成装置でもよい。
【０１１６】
また、図１乃至図６を用いて上記実施形態により示した構成及び処理は、本発明の一実施形態に過ぎず、本発明を当該構成及び処理に限定する趣旨ではない。
【符号の説明】
【０１１７】
１        画像形成装置
５        画像読取部
１０      制御ユニット
１００    制御部
１０１    ログイン処理部
１０２    色覚情報取得部
１０３    色補正部
１０３１  マトリクス
１０３２  変換式
１０４    他ユーザー情報取得部
１０５    色微調整部
１０６    ユーザー情報更新部
１７０    記憶部
２０２    情報サーバー
２０３    ユーザーアカウント情報
３００    携帯端末
３０１    色覚情報
４７３    表示部
４０      画像形成部
【図１】
2014078076.tif 000003
【図２】
2014078076.tif 000004
【図３】
2014078076.tif 000005
【図４】
2014078076.tif 000006
【図５】
2014078076.tif 000007
【図６】
2014078076.tif 000008